(57)【特許請求の範囲】
【請求項１】
互いに異なる場所に位置しており、電力を使用する複数の拠点と、
前記複数の拠点の少なくとも一つに設置された蓄電池と、
前記複数の拠点を結ぶ配電網と、
を有する配電系統を制御する電力制御装置であって、
前記複数の拠点には、前記拠点を他の前記拠点から識別する拠点識別情報が予め与えられており、
電力消費情報は、前記配電網の電力を消費する旨を示し、かつ電力を消費する前記拠点の前記拠点識別情報を含んでおり、
いずれかの拠点から、前記電力消費情報を受信する要求情報取得手段と、
前記蓄電池別に、前記蓄電池から前記配電網までの電力損失の割合を示す供給損失情報を、前記蓄電池が位置している前記拠点の前記拠点識別情報に対応付けて記憶する供給損失記憶手段と、
前記要求情報取得手段が前記電力消費情報を受信したときに、前記要求情報取得手段が取得した前記電力消費情報に含まれる前記拠点識別情報、及び前記供給損失記憶手段が記憶している前記供給損失情報を用いて、前記配電網に電力を供給すべき前記蓄電池を定め、定めた前記蓄電池を前記配電網に対して放電させる蓄電池決定手段と、
を備える電力制御装置。
【請求項２】
互いに異なる場所に位置しており、電力を使用する複数の拠点と、
前記複数の拠点の少なくとも一つに設置された蓄電池と、
前記複数の拠点を結ぶ配電網と、
を有する配電系統を制御する電力制御装置であって、
いずれかの拠点から、前記配電網の電力を消費する旨を示す電力消費情報を受信する要求情報取得手段と、
前記蓄電池別に、前記蓄電池の充放電回数を含む前記蓄電池の状態を示す電池情報を記憶する電池情報記憶手段と、
前記要求情報取得手段が前記電力消費情報を受信したときに、前記電池情報記憶手段が記憶している前記蓄電池の充放電回数を用いて前記配電網に電力を供給すべき前記蓄電池を定め、定めた前記蓄電池を前記配電網に対して放電させる蓄電池決定手段と、
を備える電力制御装置。
【請求項３】
請求項２に記載の電力制御装置において、
前記電池情報は充電割合を含んでいる電力制御装置。
【請求項４】
請求項１乃至３いずれか一項に記載の電力制御装置において、
前記複数の拠点には、前記拠点を他の前記拠点から識別する拠点識別情報が予め与えられており、
前記拠点別に、他の前記拠点との間での前記配電網における送電損失の割合を示す送電損失情報を、前記拠点識別情報に対応付けて記憶する送電損失記憶手段を備え、
前記蓄電池決定手段は、前記送電損失記憶手段が記憶している前記送電損失情報をさらに用いて、前記配電網に電力を供給すべき前記蓄電池を定める電力制御装置。
【請求項５】
請求項１乃至４いずれか一項に記載の電力制御装置において、
前記蓄電池それぞれに設けられ、前記蓄電池から前記配電網への放電を制御する電池制御手段をさらに備え、
前記蓄電池決定手段は、前記配電網に電力を供給すべき前記蓄電池の前記電池制御手段を制御し、当該蓄電池から前記配電網に電力を供給する電力制御装置。
【請求項６】
互いに異なる場所に位置しており、電力を使用する複数の拠点と、
前記複数の拠点の少なくとも一つに設置された蓄電池と、
前記複数の拠点の少なくとも一つに設置された発電装置と、
前記複数の拠点を結ぶ配電網と、
を有する配電系統を制御する電力制御装置であって、
前記複数の拠点には、互いに異なる拠点識別情報が予め与えられており、
電力供給情報は、余剰電力を前記配電網に供給する旨を示し、かつ余剰電力を前記配電網に供給する前記発電装置を有する前記拠点の前記拠点識別情報を含んでおり、
いずれかの拠点から、前記電力供給情報を受信する要求情報取得手段と、
前記蓄電池別に、前記蓄電池から前記配電網までの電力損失の割合を示す供給損失情報を、前記蓄電池が位置している前記拠点の前記拠点識別情報に対応付けて記憶する供給損失記憶手段と、
前記拠点別に、他の前記拠点との間での前記配電網における送電損失の割合を示す送電損失情報を、前記拠点識別情報に対応付けて記憶する送電損失記憶手段と、
前記要求情報取得手段が前記電力供給情報を受信したときに、前記要求情報取得手段が取得した前記電力供給情報に含まれる前記拠点識別情報、前記供給損失記憶手段が記憶している前記供給損失情報、及び前記送電損失記憶手段が記憶している前記送電損失情報を用いて、前記配電網の電力を充電すべき前記蓄電池を定め、定めた前記蓄電池に前記配電網の電力を蓄電させる蓄電池決定手段と、
を備える電力制御装置。
【請求項７】
請求項６に記載の電力制御装置において、
前記蓄電池それぞれに設けられ、前記配電網から前記蓄電池への充電を制御する電池制御手段をさらに備え、
前記蓄電池決定手段は、前記配電網の電力を充電すべき前記蓄電池の前記電池制御手段を制御し、当該蓄電池に前記配電網の電力を充電させる電力制御装置。
【請求項８】
互いに異なる場所に位置しており、電力を使用する複数の拠点と、
前記複数の拠点の少なくとも一つに設置された蓄電池と、
前記複数の拠点を結ぶ配電網と、
を有する配電系統を制御する電力制御システムであって、
前記蓄電池それぞれに設けられ、前記蓄電池の充放電を制御する電池制御手段と、
すべての前記電池制御手段を介してすべての前記蓄電池の充放電を制御する電力制御装置と、
を備え、
前記複数の拠点には、前記拠点を他の前記拠点から識別する拠点識別情報が予め与えられており、
電力消費情報は、前記配電網の電力を消費する旨を示し、かつ電力を消費する前記拠点の前記拠点識別情報を含んでおり、
前記電力制御装置は、
いずれかの拠点から、前記電力消費情報を受信する要求情報取得手段と、
前記蓄電池別に、前記蓄電池から前記配電網までの電力損失の割合を示す供給損失情報を、前記蓄電池が位置している前記拠点の前記拠点識別情報に対応付けて記憶する供給損失記憶手段と、
前記要求情報取得手段が前記電力消費情報を受信したときに、前記要求情報取得手段が取得した前記電力消費情報に含まれる前記拠点識別情報、及び前記供給損失記憶手段が記憶している前記供給損失情報を用いて、前記配電網に電力を供給すべき前記蓄電池を定め、定めた前記蓄電池の前記電池制御手段を制御して、前記蓄電池に前記配電網に対して放電させる蓄電池決定手段と、
を備える電力制御システム。
【請求項９】
互いに異なる場所に位置しており、電力を使用する複数の拠点と、
前記複数の拠点の少なくとも一つに設置された蓄電池と、
前記複数の拠点を結ぶ配電網と、
を有する配電系統を制御する電力制御システムであって、
前記蓄電池それぞれに設けられ、前記蓄電池の充放電を制御する電池制御手段と、
すべての前記電池制御手段を介してすべての前記蓄電池の充放電を制御する電力制御装置と、
を備え、
前記電力制御装置は、
いずれかの拠点から、前記配電網の電力を消費する旨を示す電力消費情報を受信する要求情報取得手段と、
前記蓄電池別に、前記蓄電池の充放電回数を含む前記蓄電池の状態を示す電池情報を記憶する電池情報記憶手段と、
前記要求情報取得手段が前記電力消費情報を受信したときに、前記電池情報が示す蓄電池の充放電回数を用いて前記配電網に電力を供給すべき前記蓄電池を定め、定めた前記蓄電池の前記電池制御手段を制御して、前記蓄電池に前記配電網に対して放電させる蓄電池決定手段と、
を備える電力制御システム。
【請求項１０】
互いに異なる場所に位置しており、電力を使用する複数の拠点と、
前記複数の拠点の少なくとも一つに設置された蓄電池と、
前記複数の拠点の少なくとも一つに設置された発電装置と、
前記複数の拠点を結ぶ配電網と、
を有する配電系統を制御する電力制御システムであって、
前記複数の拠点には、互いに異なる拠点識別情報が予め与えられており、
前記蓄電池それぞれに設けられ、前記蓄電池の充放電を制御する電池制御手段と、
すべての前記電池制御手段を介してすべての前記蓄電池の充放電を制御する電力制御装置と、
を備え、
電力供給情報は、余剰電力を前記配電網に供給する旨を示し、かつ余剰電力を前記配電網に供給する前記発電装置を有する前記拠点の前記拠点識別情報を含んでおり、
前記電力制御装置は、
いずれかの拠点から、前記電力供給情報を受信する要求情報取得手段と、
前記蓄電池別に、前記蓄電池から前記配電網までの電力損失の割合を示す供給損失情報を、前記蓄電池が位置している前記拠点の前記拠点識別情報に対応付けて記憶する供給損失記憶手段と、
前記拠点別に、他の前記拠点との間での前記配電網における送電損失の割合を示す送電損失情報を、前記拠点識別情報に対応付けて記憶する送電損失記憶手段と、
前記要求情報取得手段が前記電力供給情報を受信したときに、前記要求情報取得手段が取得した前記電力供給情報に含まれる前記拠点識別情報、前記供給損失記憶手段が記憶している前記供給損失情報、及び前記送電損失記憶手段が記憶している前記送電損失情報を用いて、前記配電網の電力を充電すべき前記蓄電池を定め、定めた前記蓄電池の前記電池制御手段を制御して、前記蓄電池に前記配電網の電力を蓄電させる蓄電池決定手段と、
を備える電力制御システム。
【請求項１１】
互いに異なる場所に位置しており、電力を使用する複数の拠点と、
前記複数の拠点の少なくとも一つに設置された蓄電池と、
前記複数の拠点を結ぶ配電網と、
を有する配電系統において、前記蓄電池を制御するコンピュータによって実行される蓄電池制御方法であって、
前記複数の拠点には、前記拠点を他の前記拠点から識別する拠点識別情報が予め与えられており、
電力消費情報は、前記配電網の電力を消費する旨を示し、かつ電力を消費する前記拠点の前記拠点識別情報を含んでおり、
前記コンピュータは、前記蓄電池別に、前記蓄電池から前記配電網までの電力損失の割合を示す供給損失情報を、前記蓄電池が位置している前記拠点の前記拠点識別情報に対応付けて記憶する供給損失記憶手段を備え、
当該電池制御方法は、
いずれかの拠点から、前記電力消費情報を受信し、
前記電力消費情報を受信したときに、前記電力消費情報に含まれる前記拠点識別情報、及び前記供給損失記憶手段が記憶している前記供給損失情報を用いて、前記配電網に電力を供給すべき前記蓄電池を定め、
定めた前記蓄電池を前記配電網に対して放電させる蓄電池制御方法。
【請求項１２】
互いに異なる場所に位置しており、電力を使用する複数の拠点と、
前記複数の拠点の少なくとも一つに設置された蓄電池と、
前記複数の拠点を結ぶ配電網と、
を有する配電系統において、前記蓄電池を制御するコンピュータによって実行される蓄電池制御方法であって、
前記コンピュータは、前記蓄電池別に、前記蓄電池の充放電回数を含む前記蓄電池の状態を示す情報である電池情報を記憶する電池情報記憶手段を備え、
当該電池制御方法は、
いずれかの拠点から、前記配電網の電力を消費する旨を示す電力消費情報を受信し、
前記電力消費情報を受信したときに、前記電池情報記憶手段が記憶している前記電池情報が示す蓄電池の充放電回数を用いて前記配電網に電力を供給すべき前記蓄電池を定め、
定めた前記蓄電池を前記配電網に対して放電させる蓄電池制御方法。
【請求項１３】
互いに異なる場所に位置しており、電力を使用する複数の拠点と、
前記複数の拠点の少なくとも一つに設置された蓄電池と、
前記複数の拠点の少なくとも一つに設置された発電装置と、
前記複数の拠点を結ぶ配電網と、
を有する配電系統において、前記蓄電池を制御するコンピュータによって実行される蓄電池制御方法であって、
前記複数の拠点には、互いに異なる拠点識別情報が予め与えられており、
電力供給情報は、余剰電力を前記配電網に供給する旨を示し、かつ余剰電力を前記配電網に供給する前記発電装置を有する前記拠点の前記拠点識別情報を含んでおり、
前記コンピュータは、
前記拠点別に、他の前記拠点との間での前記配電網における送電損失の割合を示す送電損失情報を、前記拠点識別情報に対応付けて記憶する送電損失記憶手段と、
前記蓄電池別に、前記蓄電池から前記配電網までの電力損失の割合を示す供給損失情報を、前記蓄電池が位置している前記拠点の前記拠点識別情報に対応付けて記憶する供給損失記憶手段と、
を備え、
当該蓄電池制御方法は、
いずれかの拠点から、前記電力供給情報を受信し、
前記電力供給情報を受信したときに、受信した前記電力供給情報に含まれる前記拠点識別情報、前記供給損失記憶手段が記憶している前記供給損失情報、及び前記送電損失記憶手段が記憶している前記送電損失情報を用いて、前記配電網の電力を充電すべき前記蓄電池を定め、
定めた前記蓄電池に前記配電網の電力を蓄電させる蓄電池制御方法。
【請求項１４】
コンピュータを、配電系統に設けられた蓄電池を制御する電力制御装置として機能させるためのプログラムであって、
前記配電系統は、
互いに異なる場所に位置しており、電力を使用する複数の拠点と、
前記複数の拠点の少なくとも一つに設置された蓄電池と、
前記複数の拠点を結ぶ配電網と、
を有しており、
前記複数の拠点には、前記拠点を他の前記拠点から識別する拠点識別情報が予め与えられており、
電力消費情報は、前記配電網の電力を消費する旨を示し、かつ電力を使用する前記拠点の前記拠点識別情報を含み、
前記コンピュータは、前記蓄電池別に、前記蓄電池から前記配電網までの電力損失の割合を示す供給損失情報を、前記蓄電池が位置している前記拠点の前記拠点識別情報に対応付けて記憶する供給損失記憶手段を備え、
前記コンピュータに、
いずれかの拠点から、前記電力消費情報を受信する機能と、
前記電力消費情報を受信したときに、受信した前記電力消費情報に含まれる前記拠点識別情報、及び前記供給損失記憶手段が記憶している前記供給損失情報を用いて、前記配電網に電力を供給すべき前記蓄電池を定める機能と、
定めた前記蓄電池を前記配電網に対して放電させる機能と、
を実現させるプログラム。
【請求項１５】
コンピュータを、配電系統に設けられた蓄電池を制御する電力制御装置として機能させるためのプログラムであって、
前記配電系統は、
互いに異なる場所に位置しており、電力を使用する複数の拠点と、
前記複数の拠点の少なくとも一つに設置された蓄電池と、
前記複数の拠点を結ぶ配電網と、
を有しており、
前記コンピュータは、前記蓄電池別に、前記蓄電池の充放電回数を含む前記蓄電池の状態を示す電池情報を記憶する電池情報記憶手段を備え、
前記コンピュータに、
いずれかの拠点から、前記配電網の電力を消費する旨を示す電力消費情報を受信する機能と、
前記電力消費情報を受信したときに、前記電池情報記憶手段が記憶している前記電池情報が示す蓄電池の充放電回数を用いて前記配電網に電力を供給すべき前記蓄電池を定める機能と、
定めた前記蓄電池を前記配電網に対して放電させる機能と、
を実現させるプログラム。
【請求項１６】
コンピュータを、配電系統に設けられた蓄電池を制御する電力制御装置として機能させるためのプログラムであって、
前記配電系統は、
互いに異なる場所に位置しており、電力を使用する複数の拠点と、
前記複数の拠点の少なくとも一つに設置された蓄電池と、
前記複数の拠点の少なくとも一つに設置された発電装置と、
前記複数の拠点を結ぶ配電網と、
を有しており、
前記複数の拠点には、互いに異なる拠点識別情報が予め与えられており、
電力供給情報は、余剰電力を前記配電網に供給する旨を示し、かつ余剰電力を前記配電網に供給する前記発電装置を有する前記拠点の前記拠点識別情報を含んでおり、
前記コンピュータは、
前記拠点別に、他の前記拠点との間での前記配電網における送電損失の割合を示す送電損失情報を、前記拠点識別情報に対応付けて記憶する送電損失記憶手段と、
前記蓄電池別に、前記蓄電池から前記配電網までの電力損失の割合を示す供給損失情報を、前記蓄電池が位置している前記拠点の前記拠点識別情報に対応付けて記憶する供給損失記憶手段と、
を備え、
前記コンピュータに、
いずれかの拠点から、前記電力供給情報を受信する機能と、
前記電力供給情報を受信したときに、受信した前記電力供給情報に含まれる前記拠点識別情報、前記供給損失記憶手段が記憶している前記供給損失情報、及び前記送電損失記憶手段が記憶している前記送電損失情報を用いて、前記配電網の電力を充電すべき前記蓄電池を定める機能と、
定めた前記蓄電池に前記配電網の電力を蓄電させる機能と、
を実現させるプログラム。
【発明の詳細な説明】
【技術分野】
【０００１】
本発明は、電力を使用する拠点に設置された蓄電池を制御する電力制御装置、電力制御システム、蓄電池制御方法、及びプログラムに関する。
【背景技術】
【０００２】
各家庭に再生可能エネルギーを用いた発電装置、例えば太陽電池発電装置を導入するケースが増えてきている。再生可能エネルギーを用いた発電装置の発電量は、天候によって変動し、また家庭における使用量と一致させることが難しい。このため、このような発電装置には蓄電池が備えられている。そして蓄電池の充電量が１００％になった場合、発電装置によって発電された電力は、公共の配電網に送電する形で電力事業を行う事業者が買い取る場合が多い（例えば特許文献１参照）。
【０００３】
一方、特許文献２には、配電網を管理する配電自動化システムが開示されている。この配電自動化システムは、停電時に電力の融通計算を行うものである。
【先行技術文献】
【特許文献】
【０００４】
【特許文献１】特開２００３−１２２８１９号公報
【特許文献２】特開２００８−６１３３４号公報
【発明の概要】
【発明が解決しようとする課題】
【０００５】
電力の供給網は、発電所からの送電を行う送電網と、送電網で送電されてきた電力を各使用拠点に配電する複数の配電網によって構成されている。配電網から送電網に電力を逆流させた場合、逆流させる電力の量は不安定であるため、送電網の電圧等が不安定になる。また送電網と配電網では電圧が異なるため、送電網と配電網の間で電力ロスが生じる。これらのことから、送電網と配電網の間を流れる電力は、なるべく少ないのが望ましい。
【０００６】
一方、上記したように、近年は、再生可能エネルギーを用いた発電装置を導入する家庭や事業者が増えている。このため、配電網には複数の不安定な電力供給源が接続されている状態になっている。各拠点で発電された電力を効率よく利用するためには、配電網と送電網の間を流れる電力をなるべく少なくするとともに、配電網の中でも損失が少なくなるようにする必要がある。
【０００７】
本発明の目的は、各拠点で発電された電力を効率よく使用することができる電力制御装置、電力制御システム、蓄電池制御方法、及びプログラムを提供することにある。
【課題を解決するための手段】
【０００８】
本発明によれば、互いに異なる場所に位置しており、電力を使用する複数の拠点と、
前記複数の拠点の少なくとも一つに設置された蓄電池と、
前記複数の拠点を結ぶ配電網と、
を有する配電系統を制御する電力制御装置であって、
いずれかの拠点から、前記配電網の電力を消費する旨を示す電力消費情報を受信する要求情報取得手段と、
前記要求情報取得手段が前記電力消費情報を受信したときに、いずれかの前記蓄電池を前記配電網に対して放電させる蓄電池決定手段と、
を備える電力制御装置が提供される。
【０００９】
本発明によれば、互いに異なる場所に位置しており、電力を使用する複数の拠点と、
前記複数の拠点の少なくとも一つに設置された蓄電池と、
前記複数の拠点の少なくとも一つに設置された発電装置と、
前記複数の拠点を結ぶ配電網と、
を有する配電系統を制御する電力制御装置であって、
いずれかの拠点から、余剰電力を前記配電網に供給する旨を示す電力供給情報を受信する要求情報取得手段と、
前記要求情報取得手段が前記電力供給情報を受信したときに、いずれかの前記蓄電池に前記配電網の電力を蓄電させる蓄電池決定手段と、
を備える電力制御装置が提供される。
【００１０】
本発明によれば、互いに異なる場所に位置しており、電力を使用する複数の拠点と、
前記複数の拠点の少なくとも一つに設置された蓄電池と、
前記複数の拠点を結ぶ配電網と、
を有する配電系統を制御する電力制御システムであって、
前記蓄電池それぞれに設けられ、前記蓄電池の充放電を制御する電池制御手段と、
すべての前記電池制御手段を介してすべての前記蓄電池の充放電を制御する電力制御装置と、
を備え、
前記電力制御装置は、
いずれかの拠点から、前記配電網の電力を消費する旨を示す電力消費情報を受信する要求情報取得手段と、
前記要求情報取得手段が前記電力消費情報を受信したときに、いずれかの前記蓄電池の前記電池制御手段を制御して、前記蓄電池に前記配電網に対して放電させる蓄電池決定手段と、
を備える電力制御システムが提供される。
【００１１】
本発明によれば、互いに異なる場所に位置しており、電力を使用する複数の拠点と、
前記複数の拠点の少なくとも一つに設置された蓄電池と、
前記複数の拠点の少なくとも一つに設置された発電装置と、
前記複数の拠点を結ぶ配電網と、
を有する配電系統を制御する電力制御システムであって、
前記複数の拠点には、互いに異なる拠点識別情報が予め与えられており、
前記蓄電池それぞれに設けられ、前記蓄電池の充放電を制御する電池制御手段と、
すべての前記電池制御手段を介してすべての前記蓄電池の充放電を制御する電力制御装置と、
を備え、
前記電力制御装置は、
いずれかの拠点から、余剰電力を前記配電網に供給する旨を示す電力供給情報を受信する要求情報取得手段と、
前記要求情報取得手段が前記電力供給情報を受信したときに、いずれかの前記蓄電池の前記電池制御手段を制御して、前記蓄電池に前記配電網の電力を蓄電させる蓄電池決定手段と、
を備える電力制御システムが提供される。
【００１２】
本発明によれば、互いに異なる場所に位置しており、電力を使用する複数の拠点と、
前記複数の拠点の少なくとも一つに設置された蓄電池と、
前記複数の拠点を結ぶ配電網と、
を有する配電系統において、前記蓄電池を制御する電池制御方法であって、
前記複数の拠点には、前記拠点を他の前記拠点から識別する拠点識別情報が予め与えられており、
コンピュータが、いずれかの拠点から、前記配電網の電力を消費する旨を示す電力消費情報を受信したときに、いずれかの前記蓄電池を前記配電網に対して放電させる蓄電池制御方法が提供される。
【００１３】
本発明によれば、互いに異なる場所に位置しており、電力を使用する複数の拠点と、
前記複数の拠点の少なくとも一つに設置された蓄電池と、
前記複数の拠点の少なくとも一つに設置された発電装置と、
前記複数の拠点を結ぶ配電網と、
を有する配電系統において、前記蓄電池を制御する電池制御方法であって、
コンピュータが、いずれかの拠点から、余剰電力を前記配電網に供給する旨を示す電力供給情報を受信したときに、いずれかの前記蓄電池に前記配電網の電力を蓄電させる蓄電池制御方法が提供される。
【００１４】
本発明によれば、コンピュータを、配電系統に設けられた蓄電池を制御する電力制御装置として機能させるためのプログラムであって、
前記配電系統は、
互いに異なる場所に位置しており、電力を使用する複数の拠点と、
前記複数の拠点の少なくとも一つに設置された蓄電池と、
前記複数の拠点を結ぶ配電網と、
を有しており、
前記コンピュータに、
いずれかの拠点から、前記配電網の電力を消費する旨を示す電力消費情報を受信する機能と、
前記電力消費情報を受信したときに、いずれかの前記蓄電池を前記配電網に対して放電させる機能と、
を実現させるプログラムが提供される。
【００１５】
本発明によれば、コンピュータを、配電系統に設けられた蓄電池を制御する電力制御装置として機能させるためのプログラムであって、
前記配電系統は、
互いに異なる場所に位置しており、電力を使用する複数の拠点と、
前記複数の拠点の少なくとも一つに設置された蓄電池と、
前記複数の拠点の少なくとも一つに設置された発電装置と、
前記複数の拠点を結ぶ配電網と、
を有しており、
前記コンピュータに、
いずれかの拠点から、余剰電力を前記配電網に供給する旨を示す電力供給情報を受信する機能と、
前記電力供給情報を受信したときに、いずれかの前記蓄電池に前記配電網の電力を蓄電させる機能と、
を実現させるプログラムが提供される。
【発明の効果】
【００１６】
本発明によれば、各拠点から配電網に送電される電力のうち、その配電網内で使用される電力量を増やすことができる。
【図面の簡単な説明】
【００１７】
【図１】第１の実施形態に係る電力制御システムの構成を示す図である。
【図２】電力制御装置の機能構成を示すブロック図である。
【図３】供給損失記憶部が記憶している情報、及び送電損失記憶部が記憶している情報を説明するための図である。
【図４】供給損失記憶部が記憶している情報をテーブル形式で示す図である。
【図５】送電損失記憶部が記憶している情報をテーブル形式で示す図である。
【図６】図２に示した電力制御装置の第１の動作を示すフローチャートである。
【図７】図２に示した電力制御装置の第２の動作を示すフローチャートである。
【図８】第２の実施形態に係る電力制御装置の機能構成を示すブロック図である。
【図９】電池情報記憶部が記憶している情報をテーブル形式で示す図である。
【図１０】図８に示した電力制御装置の第１の動作を示すフローチャートである。
【図１１】図８に示した電力制御装置の第２の動作を示すフローチャートである。
【発明を実施するための形態】
【００１８】
以下、本発明の実施の形態について、図面を用いて説明する。尚、すべての図面において、同様な構成要素には同様の符号を付し、適宜説明を省略する。
【００１９】
（第１の実施形態）
図１は、第１の実施形態に係る電力制御システムの構成を示す図である。この電力制御システムは、配電系統を制御するシステムである。配電系統は、複数の拠点と、複数の拠点の少なくとも一つに設置された蓄電池３００と、複数の拠点を結ぶ配電網１０とを有している。各拠点では電力が使用される。配電網１０を流れる電流は、一方向である。そして電力制御システムは、蓄電池３００それぞれに設けられた制御部３１０、及び電力制御装置１００を有している。制御部３１０は、蓄電池３００の充放電を制御するほか、蓄電池３００が配電網１０に送電する処理を行う。電力制御装置１００は、すべての制御部３１０を介してすべての蓄電池３００の充放電を制御する。
【００２０】
具体的には、電力を使用する拠点には、電気機器４００が設置されている。そして拠点のうち少なくともひとつには、再生可能エネルギーを利用した発電装置として、太陽光発電装置２００が設けられている。太陽光発電装置２００で発電された電力は、蓄電池３００を介して電気機器４００で使用されるか、又は直接電気機器４００で使用される。蓄電池３００の残量が０になった場合、不足電力は配電網１０を介して電気機器４００に供給される。
【００２１】
蓄電池３００は、太陽光発電装置２００が発電した電力を蓄電する。蓄電池３００に蓄電された電力は、その蓄電池３００が設置された拠点の電気機器４００で使用されるほか、配電網１０に供給される。電力制御装置１００は、蓄電池３００が配電網１０に電力を供給するタイミングを制御する。
【００２２】
また制御部３１０は、電気機器４００の使用が開始され、かつ蓄電池３００の蓄電量が０になった場合に電力消費情報を電力制御装置１００に送信する。
【００２３】
図２は、電力制御装置１００の機能構成を示すブロック図である。複数の拠点には、拠点を他の拠点から識別する拠点識別情報が予め与えられている。電力制御装置１００は、供給損失記憶部１１０、送電損失記憶部１２０、要求情報取得部１３０、及び蓄電池決定部１４０を備える。
【００２４】
供給損失記憶部１１０は、蓄電池３００別に、供給損失情報を、蓄電池３００が位置している拠点の拠点識別情報に対応付けて記憶している。供給損失情報は、蓄電池３００から配電網１０までの電力損失の割合を示す情報である。送電損失記憶部１２０は、拠点別に、送電損失情報を拠点識別情報に対応付けて記憶している。送電損失情報は、その拠点の隣に位置する拠点との間での配電網１０における送電損失の割合を示す情報である。
【００２５】
要求情報取得部１３０は、電力を使用する拠点の拠点識別情報を、いずれかの拠点の制御部３１０から取得する。蓄電池決定部１４０は、要求情報取得部１３０が取得した拠点識別情報、供給損失記憶部１１０が記憶している供給損失情報、及び送電損失記憶部１２０が記憶している送電損失情報を用いて、配電網１０に電力を供給すべき蓄電池３００を定める。そして蓄電池決定部１４０は、配電網１０に電力を供給すべき蓄電池３００に対応する制御部３１０を制御し、その蓄電池３００から配電網１０に電力を供給させる。
【００２６】
なお、図２に電力制御装置１００の各構成要素は、ハードウエア単位の構成ではなく、機能単位のブロックを示している。電力制御装置１００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。
【００２７】
図３は、供給損失記憶部１１０が記憶している情報、及び送電損失記憶部１２０が記憶している情報を説明するための図である。電力が配線を流れる場合、配線抵抗等により電力損失が生じる。また蓄電池３００から配電網１０に送電するときにも電力損失が生じる。
【００２８】
詳細には、蓄電池３００から配電網１０に送電するときには、蓄電池３００から放電するときの損失（蓄電池損失割合：例えば拠点Ａでは６％）と、直流を交流に変換するときの変換ロスに起因した損失（変換割合損失：例えば拠点Ａでは４％）とがある。供給損失記憶部１１０は、これらを示す情報を記憶している。
【００２９】
また配電網１０においては、配電線の抵抗に起因した損失（例えば拠点Ａから拠点Ｂの間においては３％）がある。送電損失記憶部１２０は、この損失割合を示す情報を記憶している。
【００３０】
図４は、供給損失記憶部１１０が記憶している情報をテーブル形式で示す図である。本図に示すように供給損失記憶部１１０は、拠点別に、その拠点に設けられている蓄電池３００が配電網１０に電力を供給するときの電力損失割合すなわち供給損失情報を記憶している。本図に示す例では、供給損失情報を、蓄電池損失割合と変換損失割合に分けて拠点識別情報に対応付けて記憶している。一つの拠点に複数の蓄電池３００が設けられている場合、その拠点については、蓄電池識別情報別に少なくとも蓄電池損失割合が記憶される。また通常は、一つの拠点に設けられる直流・交流変換装置が一つであるため、変換損失割合は一つの拠点について一つ記憶されればよい。ただし一つの拠点に複数の直流・交流変換装置が設けられている場合は、この限りでない。
【００３１】
図５は、送電損失記憶部１２０が記憶している情報をテーブル形式で示す図である。本図に示すように送電損失記憶部１２０は、第１の拠点と、第１の拠点の隣に位置する第２の拠点と、の間における配電網１０による電力損失割合を、送電損失情報として、第１の拠点の拠点識別情報と第２の拠点の拠点識別情報の組み合わせに対応付けて記憶している。これらの電力損失割合を組み合わせることにより、蓄電池決定部１４０は、任意の拠点間における配電網１０における電力損失割合を算出することができる。このとき蓄電池決定部１４０は、配電網１０における電流の方向に沿う方向に、配電網１０のうちその拠点間に位置する部分を定め、その定めた部分における電力損失割合を算出する。
【００３２】
図６は、電力制御装置１００の第１の動作を示すフローチャートである。まずいずれかの拠点において電気機器４００の使用が開始されると、電気機器４００が消費する電力は、まずその拠点内の蓄電池３００から供給される。そして蓄電池３００の蓄電量が０になった場合、電気機器４００が消費する電力は、配電網１０から供給される。そしてその拠点の制御部３１０は、蓄電池３００の蓄電量が０になり、かつ電気機器４００の使用が続いていることを示す電力消費情報を、電力制御装置１００に送信する。電力消費情報には、その拠点の拠点識別情報が含まれている。
【００３３】
電力制御装置１００の要求情報取得部１３０は、電力消費情報を受信する（ステップＳ１０）。次いで蓄電池決定部１４０は、供給損失記憶部１１０から各供給損失情報を読み出す（ステップＳ２０）。このとき蓄電池決定部１４０は、要求情報取得部１３０が受信した電力消費情報に含まれる拠点識別情報に対応する供給損失情報を読み出さなくてもよい。
【００３４】
また蓄電池決定部１４０は、送電損失記憶部１２０から各送電損失情報を読み出す（ステップＳ３０）。
【００３５】
そして蓄電池決定部１４０は、供給損失情報と送電損失情報を用いて、蓄電池３００別に、その蓄電池３００から、ステップＳ１０で受信した拠点識別情報に示される拠点までの間における電力損失割合を算出する（ステップＳ４０）。なおこの処理において、ステップＳ１０において受信した拠点識別情報に示される拠点に位置している蓄電池３００は、処理対象から除かれる。
【００３６】
次いで蓄電池決定部１４０は、ステップＳ４０において算出した電力損失割合が最も小さい蓄電池３００を、配電網１０に放電すべき蓄電池３００として定める（ステップＳ５０）。次いで蓄電池決定部１４０は、ステップＳ５０で定めた蓄電池３００に対応する制御部３１０を制御し、その蓄電池３００から配電網１０に電力を供給させる（ステップＳ６０）。
【００３７】
ここで図３に示した図を用いて、ステップＳ４０，Ｓ５０に示した処理を具体的に説明する。拠点Ａで蓄電池３００の蓄電量が０になった場合を考える。この場合において、拠点Ｃの蓄電池３００及び拠点Ｄの蓄電池３００のいずれかから配電網１０に電力が供給されることになる。
【００３８】
拠点Ｃから拠点Ａまでの配電網１０における電力損失割合は２％であり、拠点Ｃの蓄電池３００から配電網１０までの電力損失割合は、１０＋７＝１７％である。このため、拠点Ｃの蓄電池３００が放電を行った場合、電力損失割合は２＋１７＝１９％となる。
【００３９】
一方、拠点Ｄから拠点Ａまでの配電網１０における電力損失割合は２＋３＝５％であり、拠点Ｄの蓄電池３００から配電網１０までの電力損失割合は、６＋４＝１０％である。このため、拠点Ｄの蓄電池３００が放電を行った場合、電力損失割合は５＋１０＝１５％となる。この値は、拠点Ｃの蓄電池３００が放電を行った場合の電力損失割合（１９％）よりも小さい。従って蓄電池決定部１４０は、拠点Ｄの蓄電池３００を放電すべき蓄電池３００として定める。
【００４０】
図７は、電力制御装置１００の第２の動作を示すフローチャートである。本図に示す処理は、ある拠点において蓄電池の蓄電割合が１００％になり、太陽光発電装置２００が発電した電力が余剰電力となって配電網１０に供給される場合に行われる。太陽光発電装置２００が発電した電力が余剰電力となって配電網１０に供給され始めると、その拠点の制御部３１０は、その旨を示す電力供給情報を電力制御装置１００に送信する。電力供給情報には、その拠点の拠点識別情報が含まれている。
【００４１】
電力制御装置１００の要求情報取得部１３０は、電力供給情報を受信する（ステップＳ１１０）。次いで蓄電池決定部１４０は、供給損失記憶部１１０から各供給損失情報を読み出す（ステップＳ１２０）。このとき蓄電池決定部１４０は、要求情報取得部１３０が受信した電力供給情報に含まれる拠点識別情報に対応する供給損失情報を読み出さなくてもよい。
【００４２】
また蓄電池決定部１４０は、送電損失記憶部１２０から各送電損失情報を読み出す（ステップＳ１３０）。
【００４３】
そして蓄電池決定部１４０は、供給損失情報と送電損失情報を用いて、蓄電池３００別に、その蓄電池３００から、ステップＳ１１０で受信した拠点識別情報に示される拠点までの間における電力損失割合を算出する（ステップＳ１４０）。なおこの処理において、要求情報取得部１３０が受信した電力供給情報に含まれる拠点識別情報に示される拠点に位置している蓄電池３００は、処理対象から除かれる。
【００４４】
次いで蓄電池決定部１４０は、ステップＳ１４０において算出した電力損失割合が最も小さい蓄電池３００を、配電網１０の電力を蓄電すべき蓄電池３００として定める（ステップＳ１５０）。次いで蓄電池決定部１４０は、ステップＳ１５０で定めた蓄電池３００に対応する制御部３１０を制御し、その蓄電池３００に、配電網１０の電力を蓄電させる（ステップＳ１６０）。
【００４５】
ここで図３に示した図を用いて、ステップＳ１４０，Ｓ１５０に示した処理を具体的に説明する。拠点Ａで蓄電池３００の蓄電量が１００％になった場合を考える。この場合において、拠点Ｃの蓄電池３００及び拠点Ｄの蓄電池３００のいずれかが配電網１０の電力を蓄電することになる。
【００４６】
拠点Ｃから拠点Ａまでの配電網１０における電力損失割合は２％であり、拠点Ｃの蓄電池３００から配電網１０までの電力損失割合は、１０＋７＝１７％である。このため、拠点Ｃの蓄電池３００が充電を行った場合、電力損失割合は２＋１７＝１９％となる。
【００４７】
一方、拠点Ｄから拠点Ａまでの配電網１０における電力損失割合は２＋３＝５％であり、拠点Ｄの蓄電池３００から配電網１０までの電力損失割合は、６＋４＝１０％である。このため、拠点Ｄの蓄電池３００が充電を行った場合、電力損失割合は５＋１０＝１５％となる。この値は、拠点Ｃの蓄電池３００が充電を行った場合の電力損失割合（１９％）よりも小さい。従って蓄電池決定部１４０は、拠点Ｄの蓄電池３００を充電すべき蓄電池３００として定める。
【００４８】
次に、本実施形態の作用及び効果について説明する。本実施形態によれば、ある拠点において配電網１０からの電力を消費する場合、同一の配電網１０に属している蓄電池３００から配電網１０に電力が供給される。すなわち、送電網からその配電網１０に電力を供給する代わりに、その配電網１０内に位置する蓄電池３００から電力が供給される。従って、各拠点から配電網１０に送電される電力のうち、その配電網１０内で使用される電力量を増やすことができる。
【００４９】
このとき、電力制御装置１００は、電力の損失が最も少なくなるように、配電網１０に電力を供給すべき蓄電池３００を選択する。従って、配電網１０の内部で発電した電力の損失量を少なくすることができる。
【００５０】
従って、各拠点で発電された電力を効率よく使用することができる。
【００５１】
またある拠点において余剰電力が配電網１０に供給される場合、電力制御装置１００は、その配電網１０内に位置する蓄電池３００に電力を蓄電させる。従って、配電網１０から送電網に逆送される電力の量を少なくすることができる。従って、各拠点で発電された電力を効率よく使用することができる。
【００５２】
このとき、電力制御装置１００は、電力の損失が最も少なくなるように、配電網１０の電力を充電すべき蓄電池３００を選択する。従って、配電網１０の内部で発電した電力の損失量を少なくすることができる。
【００５３】
（第２の実施形態）
第２の実施形態に係る電力供給システムは、電力制御装置１００の機能構成を除いて第１の実施形態に係る電力供給システムと同様の構成である。
【００５４】
図８は、本実施形態に係る電力制御装置１００の機能構成を示すブロック図である。この電力制御装置１００は、蓄電池３００それぞれに他の蓄電池３００から識別する蓄電池識別情報が予め与えられている点、及び、電池情報記憶部１５０を有している点を除いて、第１の実施形態に係る電力制御装置１００と同様の構成である。本実施形態において、拠点識別情報が蓄電池識別情報を兼ねている。
【００５５】
電池情報記憶部１５０は、蓄電池別に、蓄電池の状態を示す電池情報を蓄電池識別情報に対応付けて記憶している。そして蓄電池決定部１４０は、供給損失記憶部１１０が記憶している供給損失情報、及び送電損失記憶部１２０が記憶している送電損失情報に加え、さらに電池情報も用いて、配電網１０に電力を供給すべき蓄電池３００を定める。
【００５６】
図９は、電池情報記憶部１５０が記憶している情報をテーブル形式で示す図である。電池情報記憶部１５０は、電池情報として充放電回数、及び現在の充電割合を記憶している。
【００５７】
蓄電池は一般的に充放電回数が多くなるにつれて劣化する。また蓄電されている電力の全てを使いきらない状態で継ぎ足し充電を繰り返し行うと、継ぎ足し充電を開始した残量付近で急激に放電電圧の低下が起こり、結果として蓄電池の残容量が減少したように見えることがある。そこで蓄電池決定部１４０は、充放電回数及び現在の充電割合も用いて、配電網１０に電力を供給すべき蓄電池３００を定める。具体的な処理についてはフローチャートを用いて後述する。
【００５８】
図１０は、図８に示した電力制御装置１００の第１の動作を示すフローチャートである。この図は、第１の実施形態における図６に対応している。本図に示す処理はステップＳ４０までは図６を用いて説明した処理と同様であるため、説明を省略する。
【００５９】
蓄電池決定部１４０は、ステップＳ４０において、蓄電池３００別に、その蓄電池３００から、ステップＳ１０で受信した拠点識別情報に示される拠点までの間における電力損失割合を算出する。次いで蓄電池決定部１４０は、電池情報記憶部１５０から各電池情報を読み出す（ステップＳ４２）。
【００６０】
次いで蓄電池決定部１４０は、以下の式（１）を用いて指数Ｓ１を算出する（ステップＳ４４）。
指数Ｓ１＝（ステップＳ４０で算出した電力損失割合（％））＋α×充放電回数＋β／残容量・・（１）
ただしα：定数、β：定数である。
【００６１】
次いで蓄電池決定部１４０は、指数Ｓ１が最も小さい蓄電池３００を、配電網１０に放電すべき蓄電池３００として定める（ステップＳ５０）。次いで蓄電池決定部１４０は、ステップＳ５０で定めた蓄電池３００に対応する制御部３１０を制御し、その蓄電池３００から配電網１０に電力を供給させる（ステップＳ６０）。
【００６２】
図１１は、図８に示した電力制御装置１００の第２の動作を示すフローチャートである。この図は、第１の実施形態における図７に対応している。本図に示す処理はステップＳ１４０までは図６を用いて説明した処理と同様であるため、説明を省略する。
【００６３】
蓄電池決定部１４０は、ステップＳ１４０において、蓄電池３００別に、その蓄電池３００から、ステップＳ１１０で受信した拠点識別情報に示される拠点までの間における電力損失割合を算出する。次いで蓄電池決定部１４０は、電池情報記憶部１５０から各電池情報を読み出す（ステップＳ１４２）。
【００６４】
次いで蓄電池決定部１４０は、以下の式（２）を用いて指数Ｓ２を算出する（ステップＳ１４４）。
指数Ｓ２＝（ステップＳ１４０で算出した電力損失割合（％））＋γ×充放電回数＋θ×残容量・・（１）
ただしγ：定数、θ：定数である。なおγは、式（１）におけるαと同じ値であってもよい。
【００６５】
次いで蓄電池決定部１４０は、指数Ｓ２が最も小さい蓄電池３００を、配電網１０から蓄電すべき蓄電池３００として定める（ステップＳ１５０）。次いで蓄電池決定部１４０は、ステップＳ１５０で定めた蓄電池３００に対応する制御部３１０を制御し、その蓄電池３００に配電網１０の電力を蓄電させる（ステップＳ１６０）。
【００６６】
本実施形態によっても、第１の実施形態と同様の効果を得ることができる。また、充放電回数や残容量などの電池情報を用いて蓄電池３００を選択するため、特定の蓄電池３００に充放電が集中することを抑制できる。
【００６７】
なお上記した各実施形態では、例えば以下のような制御も可能である。
【００６８】
図３に示す例において、拠点Ｃの電気機器４００の使用を開始したとする。このとき、全ての拠点の蓄電池３００から、拠点Ｃの電気機器４００までの電力損失割合を算出する。例えば拠点Ｃの蓄電池３００から拠点Ｃの電気機器４００までの電力損失割合は、１０＋７＝１７％である。これに対し、拠点Ａの蓄電池３００から拠点Ｃの電気機器４００までの電力損失割合は、６＋４＋１＋１＋３＝１５％である。また拠点Ｄの蓄電池３００から拠点Ｃの電気機器４００までの電力損失割合は、６＋４＋３＝１３％である。このため、同じ拠点Ｃの蓄電池３００の電力を使用するよりも、他の拠点、例えば拠点Ｄの蓄電池３００の電力を使用したほうが、電力損失割合は低い。この場合、拠点Ｃの電気機器４００は配電網１０から電力の供給を受け、かつ拠点Ｄの蓄電池３００が配電網１０に放電する。
【００６９】
以上、図面を参照して本発明の実施形態について述べたが、これらは本発明の例示であり、上記以外の様々な構成を採用することもできる。
【００７０】
例えば上記した各実施形態では、電力制御装置１００が電力損失割合やＳ１、Ｓ２を算出していたが、各拠点の制御部３１０が、電力損失割合やＳ１、Ｓ２のうち配電網１０による損失割合以外の情報を定期的に算出して、電力制御装置１００に送信するようにしてもよい。
【００７１】
また第１の実施形態において判断の指標に用いた電力損失割合は、２つの蓄電池３００を配電網１０を介してリンクさせたときのコスト、すなわちリンクコストを示しているといえる。また第２の実施形態における指標Ｓ２も、リンクコストを示しているといえる。すなわち上記した各実施形態は、配電網１０を介して２つの蓄電池３００をリンクさせたときのコストが最小になるように、２つの蓄電池３００の組み合わせを選択するものである。ここでリンクコストは、上記した例に限定されない。例えば第１の実施形態における電力損失割合や第２の実施形態における式（２）に、必要に応じて別の項を追加してもよい。ここで追加される別の項としては、例えば電力会社が拠点から電力を買い取るときの価格や、各機器の性能及び使用頻度等が挙げられる。
以下、参考形態の例を付記する。
１．  互いに異なる場所に位置しており、電力を使用する複数の拠点と、
前記複数の拠点の少なくとも一つに設置された蓄電池と、
前記複数の拠点を結ぶ配電網と、
を有する配電系統を制御する電力制御装置であって、
いずれかの拠点から、前記配電網の電力を消費する旨を示す電力消費情報を受信する要求情報取得手段と、
前記要求情報取得手段が前記電力消費情報を受信したときに、いずれかの前記蓄電池を前記配電網に対して放電させる蓄電池決定手段と、
を備える電力制御装置。
２．  １．に記載の電力制御装置において、
前記複数の拠点には、前記拠点を他の前記拠点から識別する拠点識別情報が予め与えられており、
前記蓄電池別に、前記蓄電池から前記配電網までの電力損失の割合を示す供給損失情報を、前記蓄電池が位置している前記拠点の前記拠点識別情報に対応付けて記憶する供給損失記憶手段と、
前記拠点別に、他の前記拠点との間での前記配電網における送電損失の割合を示す送電損失情報を、前記拠点識別情報に対応付けて記憶する送電損失記憶手段と、
を備え、
前記電力消費情報は、電力を使用する前記拠点の前記拠点識別情報を含んでおり、
前記蓄電池決定手段は、前記要求情報取得手段が取得した前記拠点識別情報、前記供給損失記憶手段が記憶している前記供給損失情報、及び前記送電損失記憶手段が記憶している前記送電損失情報を用いて、前記配電網に電力を供給すべき前記蓄電池を定める蓄電池決定手段と、
を備える電力制御装置。
３．  １．又は２．に記載の電力制御装置において、
前記蓄電池それぞれに設けられ、前記蓄電池から前記配電網への放電を制御する電池制御手段をさらに備え、
前記蓄電池決定手段は、前記配電網に電力を供給すべき前記蓄電池の前記電池制御手段を制御し、当該蓄電池から前記配電網に電力を供給する電力制御装置。
４．  １．〜３．のいずれか一つに記載の電力制御装置において、
前記蓄電池別に、前記蓄電池の状態を示す電池情報を記憶する電池情報記憶手段をさらに備え、
前記蓄電池決定手段は、さらに前記電池情報を用いて前記配電網に電力を供給すべき前記蓄電池を定める電力制御装置。
５．  ４．に記載の電力制御装置において、
前記電池情報は充放電回数を含んでいる電力制御装置。
６．  ４．又は５．に記載の電力制御装置において、
前記電池情報は充電割合を含んでいる電力制御装置。
７．  互いに異なる場所に位置しており、電力を使用する複数の拠点と、
前記複数の拠点の少なくとも一つに設置された蓄電池と、
前記複数の拠点の少なくとも一つに設置された発電装置と、
前記複数の拠点を結ぶ配電網と、
を有する配電系統を制御する電力制御装置であって、
いずれかの拠点から、余剰電力を前記配電網に供給する旨を示す電力供給情報を受信する要求情報取得手段と、
前記要求情報取得手段が前記電力供給情報を受信したときに、いずれかの前記蓄電池に前記配電網の電力を蓄電させる蓄電池決定手段と、
を備える電力制御装置。
８．  ７．に記載の電力制御装置において、
前記複数の拠点には、互いに異なる拠点識別情報が予め与えられており、
前記蓄電池別に、前記蓄電池から前記配電網までの電力損失の割合を示す供給損失情報を、前記蓄電池が位置している前記拠点の前記拠点識別情報に対応付けて記憶する供給損失記憶手段と、
前記拠点別に、他の前記拠点との間での前記配電網における送電損失の割合を示す送電損失情報を、前記拠点識別情報に対応付けて記憶する送電損失記憶手段と、
を備え、
前記電力供給情報は、余剰電力を前記配電網に供給する前記発電装置を有する前記拠点の前記拠点識別情報を含んでおり、
前記蓄電池決定手段は、前記要求情報取得手段が取得した前記拠点識別情報、前記供給損失記憶手段が記憶している前記供給損失情報、及び前記送電損失記憶手段が記憶している前記送電損失情報を用いて、前記配電網の電力を充電すべき前記蓄電池を定める電力制御装置。
９．  ８．に記載の電力制御装置において、
前記蓄電池それぞれに設けられ、前記配電網から前記蓄電池への充電を制御する電池制御手段をさらに備え、
前記蓄電池決定手段は、前記配電網の電力を充電すべき前記蓄電池の前記電池制御手段を制御し、当該蓄電池に前記配電網の電力を充電させる電力制御装置。
１０．  互いに異なる場所に位置しており、電力を使用する複数の拠点と、
前記複数の拠点の少なくとも一つに設置された蓄電池と、
前記複数の拠点を結ぶ配電網と、
を有する配電系統を制御する電力制御システムであって、
前記蓄電池それぞれに設けられ、前記蓄電池の充放電を制御する電池制御手段と、
すべての前記電池制御手段を介してすべての前記蓄電池の充放電を制御する電力制御装置と、
を備え、
前記電力制御装置は、
いずれかの拠点から、前記配電網の電力を消費する旨を示す電力消費情報を受信する要求情報取得手段と、
前記要求情報取得手段が前記電力消費情報を受信したときに、いずれかの前記蓄電池の前記電池制御手段を制御して、前記蓄電池に前記配電網に対して放電させる蓄電池決定手段と、
を備える電力制御システム。
１１．  互いに異なる場所に位置しており、電力を使用する複数の拠点と、
前記複数の拠点の少なくとも一つに設置された蓄電池と、
前記複数の拠点の少なくとも一つに設置された発電装置と、
前記複数の拠点を結ぶ配電網と、
を有する配電系統を制御する電力制御システムであって、
前記複数の拠点には、互いに異なる拠点識別情報が予め与えられており、
前記蓄電池それぞれに設けられ、前記蓄電池の充放電を制御する電池制御手段と、
すべての前記電池制御手段を介してすべての前記蓄電池の充放電を制御する電力制御装置と、
を備え、
前記電力制御装置は、
いずれかの拠点から、余剰電力を前記配電網に供給する旨を示す電力供給情報を受信する要求情報取得手段と、
前記要求情報取得手段が前記電力供給情報を受信したときに、いずれかの前記蓄電池の前記電池制御手段を制御して、前記蓄電池に前記配電網の電力を蓄電させる蓄電池決定手段と、
を備える電力制御システム。
１２．  互いに異なる場所に位置しており、電力を使用する複数の拠点と、
前記複数の拠点の少なくとも一つに設置された蓄電池と、
前記複数の拠点を結ぶ配電網と、
を有する配電系統において、前記蓄電池を制御する電池制御方法であって、
前記複数の拠点には、前記拠点を他の前記拠点から識別する拠点識別情報が予め与えられており、
コンピュータが、いずれかの拠点から、前記配電網の電力を消費する旨を示す電力消費情報を受信したときに、いずれかの前記蓄電池を前記配電網に対して放電させる蓄電池制御方法。
１３．  互いに異なる場所に位置しており、電力を使用する複数の拠点と、
前記複数の拠点の少なくとも一つに設置された蓄電池と、
前記複数の拠点の少なくとも一つに設置された発電装置と、
前記複数の拠点を結ぶ配電網と、
を有する配電系統において、前記蓄電池を制御する電池制御方法であって、
コンピュータが、いずれかの拠点から、余剰電力を前記配電網に供給する旨を示す電力供給情報を受信したときに、いずれかの前記蓄電池に前記配電網の電力を蓄電させる蓄電池制御方法。
１４．  コンピュータを、配電系統に設けられた蓄電池を制御する電力制御装置として機能させるためのプログラムであって、
前記配電系統は、
互いに異なる場所に位置しており、電力を使用する複数の拠点と、
前記複数の拠点の少なくとも一つに設置された蓄電池と、
前記複数の拠点を結ぶ配電網と、
を有しており、
前記コンピュータに、
いずれかの拠点から、前記配電網の電力を消費する旨を示す電力消費情報を受信する機能と、
前記電力消費情報を受信したときに、いずれかの前記蓄電池を前記配電網に対して放電させる機能と、
を実現させるプログラム。
１５．  コンピュータを、配電系統に設けられた蓄電池を制御する電力制御装置として機能させるためのプログラムであって、
前記配電系統は、
互いに異なる場所に位置しており、電力を使用する複数の拠点と、
前記複数の拠点の少なくとも一つに設置された蓄電池と、
前記複数の拠点の少なくとも一つに設置された発電装置と、
前記複数の拠点を結ぶ配電網と、
を有しており、
前記コンピュータに、
いずれかの拠点から、余剰電力を前記配電網に供給する旨を示す電力供給情報を受信する機能と、
前記電力供給情報を受信したときに、いずれかの前記蓄電池に前記配電網の電力を蓄電させる機能と、
を実現させるプログラム。
【符号の説明】
【００７２】
１０ 配電網
１００ 電力制御装置
１１０ 供給損失記憶部
１２０ 送電損失記憶部
１３０ 要求情報取得部
１４０ 蓄電池決定部
１５０ 電池情報記憶部
２００ 太陽光発電装置
３００ 蓄電池
３１０ 制御部
４００ 電気機器
【図１】
0005573258.tif 000002
【図２】
0005573258.tif 000003
【図３】
0005573258.tif 000004
【図４】
0005573258.tif 000005
【図５】
0005573258.tif 000006
【図６】
0005573258.tif 000007
【図７】
0005573258.tif 000008
【図８】
0005573258.tif 000009
【図９】
0005573258.tif 000010
【図１０】
0005573258.tif 000011
【図１１】
0005573258.tif 000012